(57)【特許請求の範囲】
【請求項１】
水路内に、上流側を開口させたエンドレス状の回転スクリーンが水路と平行に配置され、前記回転スクリーンの回転の下方位置で、前回転記スクリーンの内面で塵芥を捕捉しつつ流水を外面に通過させるとともに、前記回転スクリーンの回転の上方位置で、捕捉した塵芥を水中から掻き上げつつ水路外に排除する回転式除塵装置であって、
前記回転スクリーンは、内層が細目スクリーン、外層が微細目スクリーンの複数層の積層構造であり、
前記内層の細目スクリーンは、回転方向の短片状に形成され、その一端部が前記微細目スクリーン側にヒンジ結合されて、前記回転スクリーンの回転の上方位置で下方に揺動されるようになることを特徴とする回転式除塵装置。
【請求項２】
前記細目スクリーンは、自重によって下方に揺動することを特徴とする請求項１に記載の回転式除塵装置。
【請求項３】
前記回転スクリーンの回転の上方位置に、前記外層の微細目スクリーンから前記下方に揺動した内層の細目スクリーンに向かって洗浄水をダウンスプレーするスプレー装置が配置されていることを特徴とする請求項１または２に記載の回転式除塵装置。
【請求項４】
前記細目スクリーンの下方に揺動する角度を規制するストッパーが設けられているとともに、前記回転スクリーンの回転の下方位置に、前記細目スクリーンを前記微細目スクリーンに押し付ける押し付け部材が配置されていることを特徴とする請求項１〜３のいずれか一項に記載の回転式除塵装置。
【請求項５】
前記外層の微細目スクリーンは、回転方向の短片状に形成され、前記短片状の細目スクリーンとともにケーシングに格納されることでユニット化される一方、
前記細目スクリーンは、前記ケーシングにヒンジ結合され、
前記ケーシングは、チェーンスプロケットで駆動されるエンドレスチェーンに連結されていることを特徴とする請求項１〜４のいずれか一項に記載の回転式除塵装置。
【発明の詳細な説明】
【技術分野】
【０００１】
本発明は、水路内の流水中の塵芥を捕捉して除去する回転式除塵装置に関する。
【背景技術】
【０００２】
従来、回転式除塵装置としては、図１４および図１５に示すように、水路１内の中央位置に、上流側を開口させたエンドレス状の回転スクリーン２０が水路１と平行に配置されている。そして、この回転スクリーン２０で塵芥を捕捉しつつ流水を通過させるとともに、回転スクリーン２０の回転によって、捕捉した塵芥を水中から掻き上げて水路１外に排除するようになっている。
【０００３】
具体的には、水路１内の両側位置に、水路１の内壁面から内方に突出する隔壁１ａが形成されるとともに、この隔壁１ａの下流側で、水路１の内壁面から内方に突出する隔壁１ｄが形成されている。隔壁１ａ，１ｄの間に回転スクリーン２０が前開口２０ｃを上流側に向けて配置され、隔壁１ａ，１ｄにそれぞれ取付けられたガイド４により、回転スクリーン２０の前後の開口端に取付けたエンドレスチェーン５が回転ガイドされるようになっている。
【０００４】
回転スクリーン２０は、上部が水面上に突出するよう縦長楕円状に形成され、水面上の基板６で支持されたチェーンスプロケット７にエンドレスチェーン５の上部が噛み合わされている。そして、電動モータ８でチェーンスプロケット７を駆動することにより、エンドレスチェーン５とともに回転スクリーン２０が回転〔図１４（ｂ）の矢印ｄ参照〕されるようになる。
【０００５】
ここで、回転スクリーン２０は、上流側と下流側とに２分して、上流側を細目スクリーン２０（Ａ）に設定し、下流側を微細目スクリーン２０（Ｂ）に設定している。細目スクリーン２０（Ａ）と微細目スクリーン２０（Ｂ）との間は、内部仕切り部材２１で仕切られている。
【０００６】
そして、回転スクリーン２０の前開口２０ｃから流入した流水中の大型の塵芥（例えば１２ｍｍ以上）は、上流側の細目スクリーン２０（Ａ）の内面で捕捉しつつ流水を外面に通過させる（図１４の矢印ａ，ｂ参照）。次いで、下流側の微細目スクリーン２０（Ｂ）の外面で小型の塵芥（例えば３ｍｍ以上）を捕捉しつつ流水を内面に通過させて（図１５の矢印ｃ参照）、回転スクリーン２０の後開口２０ｄから水路１に戻すようになっている（特許文献１参照）。
【０００７】
細目スクリーン２０（Ａ）の内面で捕捉された大型の塵芥は、細目スクリーン２０（Ａ）の上方のスプレー装置９から下方に噴射される水圧で吹き落されて、細目スクリーン２０（Ａ）内のトラフ１０に回収されるようになる。これはダウンスプレーと称される。
【０００８】
微細目スクリーン２０（Ｂ）の外面で捕捉された小型の塵芥は、微細目スクリーン２０（Ｂ）の内方のスプレー装置１５から側方に噴射される水圧で吹き落されて、微細目スクリーン２０（Ｂ）外のトラフ１６に回収されるようになる。これはサイド（インナー）スプレーと称される。
【０００９】
背景技術の回転式除塵装置３は、先ず上流側の細目スクリーン２０（Ａ）で流水中の大型の塵埃が捕捉され、次いで下流側の微細目スクリーン２０（Ｂ）で流水中の小型の塵埃が捕捉されるようになる。したがって、１台の除塵装置の回転スクリーン２０（Ａ，Ｂ）で、大型と小型の塵芥を目詰まりしないように順次捕捉できる等の効果がある。
【先行技術文献】
【特許文献】
【００１０】
【特許文献１】特開２０１０−５３５８７号公報
【発明の概要】
【発明が解決しようとする課題】
【００１１】
しかしながら、細目スクリーン２０（Ａ）と微細目スクリーン２０（Ｂ）とを上下流方向に配置する構成である。したがって、上下流方向の機長Ｌ１が長くなって、広い設置スペースが必要となることから、狭いスペースに設置でき、装置重量も減少させたいという要望があった。
【００１２】
また、水流の屈曲部を少なくして圧力ロスを抑制するとともに、下流側の微細目スクリーン２０（Ｂ）の両側部分（図１５の符号ｅ参照）に、し渣が滞留しにくいようにしたいという要望があった。
【００１３】
本発明は、前記要望に応えるためになされたもので、設置スペースを狭くできて装置重量も減少し、しかも圧力ロスが抑制でき、し渣も滞留しにくい回転式除塵装置を提供することを目的とするものである。
【課題を解決するための手段】
【００１４】
前記課題を解決するために、本発明は、水路内に、上流側を開口させたエンドレス状の回転スクリーンが水路と平行に配置されている。前記回転スクリーンの回転の下方位置で、前記回転スクリーンの内面で塵芥を捕捉しつつ流水を外面に通過させるとともに、前記回転スクリーンの回転の上方位置で、捕捉した塵芥を水中から掻き上げつつ水路外に排除する回転式除塵装置である。前記回転スクリーンは、内層が細目スクリーン、外層が微細目スクリーンの複数層の積層構造である。前記内層の細目スクリーンは、回転方向の短片状に形成され、その一端部が前記微細目スクリーン側にヒンジ結合されて、前記回転スクリーンの回転の上方位置で下方に揺動されるようになる。
【００１５】
本発明によれば、回転スクリーンの回転の下方位置では、細目スクリーンは微細目スクリーンに重なった状態であるから、水路内の水流は、内層の細目スクリーンを通過してから外層の微細目スクリーンを通過するようになる。したがって、先ず細目スクリーンで流水中の大型の塵埃が捕捉され、次いで微細目スクリーンで流水中の小型の塵埃が捕捉されるようになる。
【００１６】
そして、回転スクリーンの回転の上方位置では、内層の細目スクリーンは、下方に揺動することで、微細目スクリーンから離れて隙間を下向きに開くようになる。これにより、微細目スクリーンで捕捉された小型の塵埃が下方に自重落下するとともに、細目スクリーンで捕捉された大型の塵埃も下方に自重落下して、各塵芥が回転スクリーン内のトラフ等で回収されることで除去されるようになる。
【００１７】
その後、回転スクリーンの回転の下方位置では、細目スクリーンは微細目スクリーンに重なった状態に戻るから、再び細目スクリーンで流水中の大型の塵埃が捕捉され、次いで微細目スクリーンで流水中の小型の塵埃が捕捉されるようになる。
【００１８】
このように、細目スクリーンは微細目スクリーンに重なった２層構造となるから、上下流方向の機長が短くなって、設置スペースを狭くでき、装置重量も減少するようになる。
【００１９】
また、水流の屈曲部が少ないので、圧力ロスが小さいうえ、微細目スクリーンの両側部分に、し渣が滞留しにくくなる。
【００２０】
さらに、細目スクリーンは、回転スクリーンの回転の上方位置で下方に揺動されるから、細目スクリーンの間から微細目スクリーンのメンテナンスも容易に行えるようになる。
【００２１】
前記細目スクリーンは、自重によって下方に揺動する構成とすることができる。
【００２２】
この構成によれば、細目スクリーンは、自重によって下方に揺動するから、スプリングやシリンダ等の揺動駆動部品が不要になるとともに、微細目スクリーンのメンテナンスも容易に行えるようになる。
【００２３】
前記回転スクリーンの回転の上方位置に、前記外層の微細目スクリーンから前記下方に揺動した内層の細目スクリーンに向かって洗浄水をダウンスプレーするスプレー装置が配置されている構成とすることができる。
【００２４】
この構成によれば、微細目スクリーンで捕捉された小型の塵埃がダウンスプレーで下方に強制落下されるとともに、細目スクリーンで捕捉された大型の塵埃もダウンスプレーで下方に強制落下されて、各スクリーンから塵芥が綺麗に除去されるようになる。
【００２５】
このように、細目スクリーンと微細目スクリーンは、１台のダウンスプレーで兼用できるから、ダウンスプレーとサイドスプレーを併用するタイプと比較して、洗浄方法が簡素化し、洗浄ポンプの圧力を高くする必要もなくなる。
【００２６】
前記細目スクリーンの下方に揺動する角度を規制するストッパーが設けられているとともに、前記回転スクリーンの回転の下方位置に、前記細目スクリーンを前記微細目スクリーンに押し付ける押し付け部材が配置されている構成とすることができる。
【００２７】
この構成によれば、押し付け部材より細目スクリーンを微細目スクリーンに押し付けることで、除塵時には、細目スクリーンが微細目スクリーンに確実に重なった状態に保持することができる。また、細目スクリーンは、ストッパーで下方に揺動する角度が規制されているから、必要以上に大きく揺動しないので、押し付け部材より細目スクリーンを微細目スクリーンにスムーズに押し付けることができる。
【００２８】
前記外層の微細目スクリーンは、回転方向の短片状に形成され、前記短片状の細目スクリーンとともにケーシングに格納されることでユニット化される。一方、前記細目スクリーンは、前記ケーシングにヒンジ結合され、前記ケーシングは、チェーンスプロケットで駆動されるエンドレスチェーンに連結されている構成とすることができる。
【００２９】
この構成によれば、短片状の微細目スクリーンと細目スクリーンとをケーシングに格納してユニット化し、ケーシングをエンドレスチェーンに連結している。これにより、ケーシング毎に、微細目スクリーンと細目スクリーンの交換等のメンテナンス等が容易に行えるようになる。
【発明の効果】
【００３０】
本発明によれば、設置スペースを狭くできて装置重量も減少し、しかも圧力ロスが抑制でき、し渣も滞留しにくい回転式除塵装置となる。
【図面の簡単な説明】
【００３１】
【図１】本発明の実施形態に係る回転式除塵装置を水路の上流方向から見た略上半分の正面断面図である。
【図２】図１の回転式除塵装置を水路の上流方向から見た略下半分の正面断面図である。
【図３】図１の上部分の平面断面図である。
【図４】図２の下部分の平面断面図である。
【図５】ケーシングに格納した外層側の微細目スクリーンの正面図である。
【図６】フレームに格納した内層側の細目スクリーンの正面図である。
【図７】（ａ）は図５の断面図、（ｂ）は図６の断面図である。
【図８】ケーシングにフレームを組み付けた正面図である。
【図９】（ａ）は図８のＩ−Ｉ線断面図、（ｂ）はフレームとともに細目スクリーンが揺動した状態の図８のＩ−Ｉ線断面図である。
【図１０】（ａ）は先行するケーシングと後行するケーシングの断面図、（ｂ）は先行するケーシングが屈強状態の断面図である。
【図１１】エンドレスチェーンであり、（ａ）は要部正面図、（ｂ）は（ａ）の側面図である。
【図１２】図１の回転式除塵装置の平面模式図である。
【図１３】回転スクリーンの構成例であり、（ａ）は縦長長楕円状の構成図、（ｂ）は円形状の構成図、（ｃ）は多角形状の構成図である。
【図１４】従来の回転式除塵装置であり、（ａ）は水路の側面方向から見た側面図、（ｂ）は水路の上流方向から見た正面図である。
【図１５】図１４の回転式除塵装置の平面模式図である。
【発明を実施するための形態】
【００３２】
以下、本発明を実施するための形態について、図面を参照しながら詳細に説明する。なお、背景技術と同一構成・作用の箇所は、同一番号を付して詳細な説明を省略する。
【００３３】
図１は水路１の上流方向から見た回転式除塵装置３０の略上半分の正面断面図である。図２は水路１の上流方向から見た回転式除塵装置３０の略下半分の正面断面図である。図３は図１の上部分の平面断面図である。図４は図２の下部分の平面断面図である。図１２は図１の回転式除塵装置３０の平面模式図である。
【００３４】
先ず、背景技術の回転式除塵装置３と本実施形態の回転式除塵装置３０との相違点の概略を説明する。
【００３５】
背景技術の回転式除塵装置３は、図１５のように、回転スクリーン２０が上流側と下流側とに２分されている。そして、上流側は、大型の塵芥を捕捉する細目スクリーン２０（Ａ）に設定し、下流側は、小型の塵芥を捕捉する微細目スクリーン２０（Ｂ）に設定している。したがって、上下流方向の機長Ｌ１は、細目スクリーン２０（Ａ）と微細目スクリーン２０（Ｂ）の長さの合計となる。
【００３６】
これに対して、本実施形態の回転式除塵装置３０は、図１２のように、回転スクリーン２０が内層側と外層側とに２分されている。そして、内層側は、大型の塵芥（例えば１０ｍｍ以上）を捕捉する細目スクリーン２０（Ａ）に設定し、外流側は、小型の塵芥（例えば３ｍｍ以上）を捕捉する微細目スクリーン２０（Ｂ）に設定している。したがって、上下流方向の機長Ｌ２は、細目スクリーン２０（Ａ）または微細目スクリーン２０（Ｂ）の長さとなる。つまり、背景技術の機長Ｌ１の略半分の機長Ｌ２となっている。
【００３７】
また、本実施形態の回転式除塵装置３０は、図１のように、内層側の細目スクリーン２０（Ａ）は、回転方向の短片状に形成されている。そして、その一端部が微細目スクリーン２０（Ｂ）側にヒンジ結合されて、回転スクリーン２０の回転の上方位置で下方に揺動されるようになっている。
【００３８】
以下、本実施形態の回転式除塵装置３０を具体的に説明する。図１２のように、水路１内の中央位置に設置される回転式除塵装置３０は、水路１内の上流側の隔壁１ａに対して、回転スクリーン２０が前開口２０ｃを上流側に向けて、水路１に平行に配置されている。回転スクリーン２０の後開口２０ｄは、閉塞部材３１で閉じられている。なお、閉塞部材３１は、水路１の水流が通過する下部分だけで足りる。
【００３９】
回転式除塵装置３０の上部分にある基板６（図１４参照）で支持された一対のチェーンスプロケット７は、図１および図３のように、例えば円周上８等分位置に、半円状の凹部７ａが形成されている。
【００４０】
また、一対のエンドレスチェーン５は、図１１のように、長片状のリンク３２がローラ３３で回動可能に連結されて構成され、対応する側のチェーンスプロケット７の凹部７ａに、ローラ３３がそれぞれ噛み合うようになる。
【００４１】
そして、電動モータ８（図１４参照）でチェーンスプロケット７を駆動することにより、エンドレスチェーン５は、図１の矢印ｄの方向（反時針回り）に回転されるようになる。なお、後述するように、エンドレスチェーン５に回転スクリーン２０が連結されることで、エンドレスチェーン５とともに回転スクリーン２０も矢印ｄの方向に回転されるようになる。
【００４２】
図２および図４のように、エンドレスチェーン５のローラ３３をガイドするための略Ｕ字状のガイドレール３４が機枠フレーム３５に設けられている。このガイドレール３４は、図１のように、上端部３４ａがチェーンスプロケット７の付近に位置し、ほぼ真っ直ぐ下方に延在している。その下部３４ｂは、図２のように、チェーンスプロケット７と略同径の半円形状に形成されて、エンドレスチェーン５を下降方向ｆから上昇方向ｇにＵターンガイドさせるようになる。ガイドレール３４は、エンドレスチェーン５と回転スクリーン２０の縦長の長楕円状の回転軌跡を維持するとともに、回転スクリーン２０が流水圧で内外方向に撓まないように保持するためのものである。
【００４３】
また、図１および図２のように、機枠フレーム３５には、エンドレスチェーン５の下降方向ｆに延在する押し付け用レール４７が設けられている。この押し付け用レール４７の上端部４７ａは、内方に屈曲されてチェーンスプロケット７の略直下に位置し、下端部４７ｂは、内方に僅かに湾曲されている。この押し付け用レール４７の作用については、後述するフレーム４１の押し付け具４６との関係で説明する。
【００４４】
図５はケーシング３７に格納した外層側の微細目スクリーン２０（Ｂ）の正面図、図６はフレーム４１に格納した内層側の細目スクリーン２０（Ａ）の正面図、図７（ａ）は図５の断面図、図７（ｂ）は図６の断面図である。
【００４５】
前述のように、回転スクリーン２０は、内層側と外層側とに２分されて、内層側のパネル状細目スクリーン２０（Ａ）と外層側のパネル状微細目スクリーン２０（Ｂ）とは、それぞれ回転方向の短片状に形成されている。
【００４６】
各スクリーン２０（Ａ，Ｂ）の回転方向の高さは、エンドレスチェーン５のローラ３３のピッチＰ（図７参照）よりも狭く（低く）設定されている。また、各スクリーン２０（Ａ，Ｂ）の幅は、一対のエンドレスチェーン５の間隔よりも狭く設定されている。各スクリーン２０（Ａ，Ｂ）は、横長の１枚物である必要は無く、本実施形態では、幅方向に四分割して、横並びさせている。
【００４７】
１組の各スクリーン２０（Ａ，Ｂ）をそれぞれ格納するためのケーシング３７が設けられている。ケーシング３７は、内面側が開放した横長四角箱状に形成されて、両側面３７ａ、上面３７ｂ、下面３７ｃおよび底面（外面）３７ｄで構成されている。
【００４８】
ケーシング３７の底面３７ｄには、外層側の微細目スクリーン２０（Ｂ）が嵌め込まれ、図５のように、位置決め部３８ｃと位置決めボルト３８ｄで両側部が位置決めされている。この状態で、図７（ａ）のように、上下の端部が押さえ金具３８ａとボルト・ナット３８ｂとで着脱可能に固定されている。この底面３７ｄには、流水の通過開口３７ｅが開けられている。
【００４９】
ケーシング３７の下端部のボルト・ナット３８ｂには、ケーシング３７と同じ幅で外方に延在するゴム挟み金具３９ａが取り付けられている。また、ケーシング３７の上端部のボルト・ナット３８ｂには、ケーシング３７と同じ幅で内方に延在するゴム板３９ｂが取り付けられている。
【００５０】
ケーシング３７の両側面３７ａの上部には、下向きのヒンジブラケット４０が固定されている。
【００５１】
内層側の細目スクリーン２０（Ａ）は、内面側の開放口からケーシング３７の内部に嵌り込み可能なフレーム４１で保持されて、図６のように、位置決め部４２ｃと位置決めボルト４２ｄで両側部が位置決めされている。この状態で、図７（ｂ）のように、上下の端部が押さえ金具４２ａとボルト・ナット４２ｂとで着脱可能に固定されている。
【００５２】
フレーム４１の両側上部には、上向きのヒンジブラケット４３が固定されている。そして、図９のように、フレーム４１のヒンジブラケット４３は、ケーシング３７のヒンジブラケット４０にヒンジ軸４４でヒンジ結合されるようになる。これにより、ケーシング３７に固定の外層側の微細目スクリーン２０（Ｂ）に対して、フレーム４１に固定の内層側の細目スクリーン２０（Ａ）は、内方に揺動自在となる。このようにして、１組の細目スクリーン２０（Ａ）と微細目スクリーン２０（Ｂ）とはケーシング３７に格納されることで、スクリーン２０（Ａ，Ｂ）毎にユニット化されるようになる。
【００５３】
ケーシング３７の両側面３７ａの内方突出部には、フレーム４１の内方（下方）揺動を所定の開き角度（例えば３０度）θ〔図９（ｂ）参照〕で当て止めるストッパー４５が取り付けられている。
【００５４】
ケーシング３７の両側下部には、内方に突出する押し付け具４６が取り付けられている。
【００５５】
ケーシング３７の両側面３７ａの両側板３７ｆは、一対のエンドレスチェーン５の各リンク３２にボルト・ナット４８でそれぞれ連結されて、ケーシング３７はエンドレスチェーン５とともに回転するようになる。
【００５６】
図１０（ａ）のように、ケーシング３７がエンドレスチェーン５に連結された状態で、ケーシング３７の上部のゴム板３９ｂは、先行するケーシング３７の下部のゴム挟み金具３９ａに挟み込まれるようになる。また、ケーシング３７の下部のゴム挟み金具３９ａは、後行するケーシング３７の上部のゴム板３９ｂを挟み込むようになる。これにより、隣り合うケーシング３７の間に隙間が生じなくなる。このゴム板３９ｂは可撓性であるから、図１０（ｂ）のように、チェーンスプロケット７の部分で前・後のケーシング３７が屈曲されたときでも、その屈曲に追従できるようになる。
【００５７】
さらに、図１のように、チェーンスプロケット７におけるエンドレスチェーン５の上昇方向ｇの終わり付近（矢印ｈ参照）では、ケーシング３７に格納された細目スクリーン２０（Ａ）がフレーム４１とともに、その自重により下方に自然に揺動（矢印ｊ参照）する。これにより、微細目スクリーン２０（Ｂ）から離れて隙間を下向きに開くようになる。その後、エンドレスチェーン５の下降方向ｆの始まりの付近（矢印ｋ参照）からは、細目スクリーン２０（Ａ）がフレーム４１とともに、上向きに開くように変位する。この状態で下降し続けると、フレーム４１の押し付け具４６が機枠フレーム３５の押し付け用レール４７に接触して、フレーム４１とともに細目スクリーン２０（Ａ）を自動的に閉じて、細目スクリーン２０（Ａ）を微細目スクリーン２０（Ｂ）に押し付けるようになる。この押し付け状態は、押し付け具４６が押し付け用レール４７の下端部４７ｂから外れるまで継続する。なお、押し付け具４６が押し付け用レール４７の下端部４７ｂから外れた後、細目スクリーン２０（Ａ）は、自重と水流の水圧とで微細目スクリーン２０（Ｂ）に押し付けることになる。
【００５８】
チェーンスプロケット７の上方位置には、外層の微細目スクリーン２０（Ｂ）から自重で下方に揺動した内層の細目スクリーン２０（Ａ）に向かって洗浄水をダウンスプレー（図１の二点鎖線ｐ参照）するスプレー装置９が配置されている。このスプレー装置９は、下方に揺動した内層の細目スクリーン２０（Ａ）にも洗浄水がムラ無くダウンスプレーされるように、回転スクリーン２０の回転方向に複数本（本例では４本）を配置することが好ましい。
【００５９】
回転スクリーン２０内には、細目スクリーン２０（Ａ）と微細目スクリーン２０（Ｂ）で捕捉された塵芥を一括して回収するためのシュート状トラフ１０が配置されている。
【００６０】
前記のように回転式除塵装置を構成すれば、回転スクリーン２０の回転の下方位置では、細目スクリーン２０（Ａ）は微細目スクリーン２０（Ｂ）に重なった状態である。したがって、水路１内の水流（矢印ｍ参照）は、図１２のように、内層の細目スクリーン２０（Ａ）を通過してから外層の微細目スクリーン２０（Ｂ）を通過するようになる（矢印ｎ参照）。これにより、先ず細目スクリーン２０（Ａ）で流水中の大型の塵埃が捕捉され、次いで微細目スクリーン２０（Ｂ）で流水中の小型の塵埃が捕捉されるようになる。
【００６１】
そして、回転スクリーン２０の回転の上方位置では、内層の細目スクリーン２０（Ａ）は、下方に揺動することで、微細目スクリーン２０（Ｂ）から離れて隙間を下向きに開くようになる。これにより、微細目スクリーン２０（Ｂ）で捕捉された小型の塵埃が下方に自重落下する。また、細目スクリーン２０（Ａ）で捕捉された大型の塵埃も下方に自重落下して、各塵芥が回転スクリーン２０内のトラフ１０で回収されることで除去されるようになる。
【００６２】
その後、回転スクリーン２０の回転の下方位置では、細目スクリーン２０（Ａ）は微細目スクリーン２０（Ｂ）に重なった状態に戻る。なお、押し付け具４６と押し付け用レール４７が無い場合でも、水路１の水流圧によって、細目スクリーン２０（Ａ）は微細目スクリーン２０（Ｂ）に重なった状態に戻る。そして、再び細目スクリーン２０（Ａ）で流水中の大型の塵埃が捕捉され、次いで微細目スクリーン２０（Ｂ）で流水中の小型の塵埃が捕捉されるようになる。
【００６３】
このように、細目スクリーン２０（Ｂ）は微細目スクリーン２０（Ａ）に重なった２層構造となるから、上下流方向の機長Ｌ２が短くなって、設置スペースを狭くでき、装置重量も減少するようになる。
【００６４】
また、水流の屈曲部が少ないので、圧力ロスが小さいうえ、微細目スクリーン２０（Ｂ）の両側部分ｅ（図１２参照）に、し渣が滞留しにくくなる。
【００６５】
さらに、細目スクリーン２０（Ａ）は、回転スクリーン２０の回転の上方位置で下方に揺動されるから、細目スクリーン２０（Ｂ）の間から微細目スクリーン２０（Ａ）のメンテナンスも容易に行えるようになる。
【００６６】
また、細目スクリーン２０（Ａ）は、自重によって下方に揺動するから、スプリングやシリンダ等の揺動駆動部品が不要になるとともに、微細目スクリーン２０（Ｂ）のメンテナンスも容易に行えるようになる。
【００６７】
さらに、微細目スクリーン２０（Ｂ）で捕捉された小型の塵埃がスプレー装置９のダウンスプレーで下方に強制落下される。そして、細目スクリーン２０（Ａ）で捕捉された大型の塵埃もダウンスプレーで下方に強制落下されて、各スクリーン２０（Ａ，Ｂ）から塵芥が綺麗に除去されるようになる。
【００６８】
このように、細目スクリーン２０（Ａ）と微細目スクリーン２０（Ｂ）は、１台のスプレー装置９によるダウンスプレーで兼用できる。したがって、ダウンスプレーとサイドスプレーを併用するタイプと比較して、洗浄方法が簡素化し、洗浄ポンプの圧力を高くする必要もなくなる。
【００６９】
また、押し付け具４６と押し付け用レール４７より細目スクリーン２０（Ａ）を微細目スクリーン２０（Ｂ）に押し付けることで、除塵時には、細目スクリーン２０（Ａ）が微細目スクリーン２０（Ｂ）に確実に重なった状態に保持することができる。
【００７０】
さらに、細目スクリーン２０（Ａ）は、ストッパー４５で下方に揺動する角度θが規制されている。したがって、必要以上に大きく揺動しないので、押し付け部材である押し付け具４６と押し付け用レール４７とより、細目スクリーン２０（Ａ）を微細目スクリーン２０（Ｂ）にスムーズに押し付けることができる。
【００７１】
また、短片状の微細目スクリーン２０（Ｂ）と細目スクリーン２０（Ａ）とをケーシング３７に格納してユニット化し、ケーシング３７をエンドレスチェーン５に連結している。これにより、ケーシング３７毎に、微細目スクリーン２０（Ｂ）と細目スクリーン２０（Ａ）の交換等のメンテナンス等が容易に行えるようになる。
【００７２】
前記実施形態では、細目スクリーン２０（Ａ）と微細目スクリーン２０（Ｂ）という用語を用いたが、細目と微細目とは相対的なものであって、微細目は、細目よりも目（隙間）が小さい意味である。したがって、細目を「粗目」、微細目を「細目」という用語を用いることもできる。
【００７３】
前記実施形態では、回転スクリーン２０は、内層と外層の２層であったが、内層と外層の間の中間層を設けた３層等でも可能である。
【００７４】
前記実施形態では、図１３（ａ）のように、回転スクリーン２０は縦長長楕円状の構成であったが、図１３（ｂ）のような円形状の構成や図１３（ｃ）のような多角形状（本例では六角形状）の構成とすることもできる。また、図１３（ａ）の縦長長楕円状の構成において、上下方向の中間部付近を内側に絞った、いわば瓢箪形状の構成とすることもできる。その他、図示しないがエンドレス状態で回転するものであれば、どのような形状でも可能である。
【符号の説明】
【００７５】
１      水路
５      エンドレスチェーン
７      チェーンスプロケット
９      ダウンスプレー装置
２０    回転スクリーン
２０（Ａ）  細目スクリーン
２０（Ｂ）  微細目スクリーン
２０ｃ  前開口
３０    回転式除塵装置
３７    ケーシング
４４    ヒンジ軸
４６    押し付け具
４７    押し付け用レール（押し付け部材）
【図１】
0006386818.tif 000002
【図２】
0006386818.tif 000003
【図３】
0006386818.tif 000004
【図４】
0006386818.tif 000005
【図５】
0006386818.tif 000006
【図６】
0006386818.tif 000007
【図７】
0006386818.tif 000008
【図８】
0006386818.tif 000009
【図９】
0006386818.tif 000010
【図１０】
0006386818.tif 000011
【図１１】
0006386818.tif 000012
【図１２】
0006386818.tif 000013
【図１３】
0006386818.tif 000014
【図１４】
0006386818.tif 000015
【図１５】
0006386818.tif 000016